(57)【要約】  部品点数及び重量の増加を招くことがなく、また、ロアレールの強度、剛性の低下をもたらさないウォークイン機構を備えたシートスライド装置を提供する。ウォークイン機構（２０）を構成するメモリ部材（２１０）が、ロアレール（１１）に設けられた通常のスライド調整位置でロックするために用いられるスライドロック用被係合部（１１ｅ）に係合可能である。ウォークイン動作時にメモリ部材（２１０）を留めるための特別な部材をロアレール（１１）に設けたり、係合穴を穿設したりする必要がなく、通常のスライド調整用のスライドロック用被係合部（１１ｅ）を利用してウォークイン動作を可能とした。
2019112005.tif 000002
【特許請求の範囲】
【請求項１】
長手方向の少なくとも一方の側壁部にスライドロック用被係合部を有するロアレールと、  前記ロアレールにスライド可能に設けられ、シートが支持されるアッパーレールと、  前記スライドロック用被係合部に係合可能なスライド用係合部を備え、前記アッパーレールを前記ロアレールに対して適宜のスライド調整位置でロックするスライドロック機構と、  前記シートのシートバックを前倒させ、前記シートを前方に移動させるウォークイン機構とを有し、  前記ウォークイン機構は、  ウォークイン動作時に、前記アッパーレールから独立して前記スライド調整位置で留まり、ウォークイン動作後の前記アッパーレールの復帰位置を前記スライド調整位置となるように規制するメモリ部材を有し、かつ、  前記メモリ部材を前記スライド調整位置で留まらせるための前記メモリ部材の係合対象が、前記スライドロック用被係合部であることを特徴とするシートスライド装置。
【請求項２】
前記メモリ部材が、前記ロアレールの前記スライドロック用被係合部に対応する位置に設けられ、前記スライドロック用被係合部に係合する方向に付勢されたメモリ用係合部を有し、  ウォークイン動作時以外では、前記メモリ用係合部の前記スライドロック用被係合部との係合を解除した状態として、前記メモリ部材を前記アッパーレールに追従可能とし、ウォークイン動作時では、前記メモリ用係合部の前記スライドロック用被係合部への係合を許容するメモリ部材制御機構が前記アッパーレールに設けられている請求項１記載のシートスライド装置。
【請求項３】
前記メモリ部材が、  前記ロアレールの側壁部に沿って移動可能に支持されるベース部と、  前記ベース部に一体に設けられ、前記メモリ用係合部を備えると共に、前記メモリ用係合部を前記スライドロック用被係合部に係合する方向に付勢するばね力を有している係合板部とを有する請求項２記載のシートスライド装置。
【請求項４】
前記ロアレールの前記側壁部は、外壁部、上壁部及び内壁部を有し、前記内壁部に、長手方向に沿って前記スライドロック用被係合部が設けられており、  前記メモリ部材は、  前記ベース部が、前記側壁部の前記上壁部に跨がる断面略Ｕ字状に形成され、  前記係合板部が、前記ベース部において前記側壁部の内側に位置する内面部の下縁部から上方に折り返されて形成され、上縁部が前記ベース部の高さよりも上方位置まで延び、前記スライドロック用被係合部方向に近接する方向に付勢されており、  前記ベース部の前記内面部のうち、前記係合板部と対面する位置では切り欠き部が形成され、前記係合板部に形成された前記ロック用係合部が、前記切り欠き部を介して前記スライドロック用被係合部に係合可能である請求項３記載のシートスライド装置。
【請求項５】
前記メモリ部材は、板ばね材料から形成され、前記係合板部が前記ロアレール及び前記アッパーレール間に位置し、前記ロアレール及び前記アッパーレール間におけるガタつきを抑制する機能を有する請求項３又は４記載のシートスライド装置。
【請求項６】
前記メモリ部材制御機構が、ウォークイン動作時以外では、前記メモリ部材の前記係合板部に接し、前記メモリ用係合部が前記スライドロック用被係合部から離間する方向に前記係合板部を変位させ、ウォークイン動作時では、前記係合板部から離間する係合板制御部を有する請求項２〜５のいずれか１に記載のシートスライド装置。
【請求項７】
前記スライドロック機構は、前記スライド用係合部を有するロック用プレート部材が上下動可能に前記アッパーレールに支持されていると共に、前部が前記アッパーレールの前方から外方に突出し、上下操作されることにより、その後部の変位によって前記ロック用プレート部材を上下動させ、前記スライド用係合部を前記スライドロック用被係合部に係脱させるスライド操作部材が配設されており、  前記メモリ部材制御機構が、  前記アッパーレールの上壁部に固定される取り付けブラケットと、  前記取り付けブラケットに軸支され、通常姿勢では前記ロック用プレート部材を下降させず、前部が下方へ回転することにより、前部に下方に突出するように設けられた前部突出片が前記ロック用プレート部材を下降させ、前記スライドロック用被係合部との係合を解除させる第１リンクと、  前記取り付けブラケットに軸支され、前記シートバックの前倒に伴って前端側が下方へ回転する方向に動作可能であり、ウォークイン動作以外の前記シートバックの前倒時は単独で回転する一方、ウォークイン動作時に前端が下方へ回転する方向に動作すると、前記第１リンクをその前部が下方に回転する方向に動作させる第２リンクと、  ウォークイン動作時に、前記第１リンクをその前部が下方に回転した姿勢を維持する姿勢維持機構とを有し、かつ、  前記係合板制御部が、前記第１リンクの後部に下方に突出させた突出片からなり、前記第１リンクの通常姿勢では、前記メモリ部材の前記係合板部に接し、前記メモリ用係合部が前記スライドロック用被係合部から離間する方向に前記係合板部を弾性変形せている一方、ウォークイン動作時に、前記第１リンクの前部が下方に回転すると上方に変位して、前記係合板部から離間する構成である請求項６記載のシートスライド装置。
【発明の詳細な説明】
【技術分野】
【０００１】  本発明は、自動車、航空機、列車、船舶、バスなどの乗物用シートにおいて用いられるシートスライド装置に関し、特に、ウォークイン機構を備えたシートスライド装置に関する。
【背景技術】
【０００２】  シートスライド装置は、シートを前後にスライドさせて位置調整し、着座者が所望の位置でスライドを停止させると、スライドロック機構によりアッパーレールがロアレールに対してロックされ、その位置が維持されるようになっている。一方、前席のシートバックを前倒させて後席への乗降を許容するタイプの場合、シートバックを前倒させると共に、その前倒動作に連動して、前後位置調整用の上記スライドロック機構のロックを強制的に解除し、シートの前方への移動を可能とするウォークイン機構がさらに設けられている。ウォークイン機構はまた、前席のシートを前方に移動させた後、シートを元に戻すと、該ウォークイン機構を動作させる直前のスライド調整された所定の位置に復帰できるよう、メモリ機構を有している。【０００３】  このようなメモリ機構として、特許文献１では、アッパーレールとロアレールの間に配置され、通常はコイルスプリングによりアッパーレール側に付勢されているが、ウォークイン動作時においては前方に移動するアッパーレールに追随せず、ロアレール側に留まるメモリピンを有した機構を開示している。アッパーレールの後退動作時には、このメモリピンを収容しているケースに設けたストッパ部材に、アッパーレール側の部材が当接するまで移動し、その位置で再びロックされ、前席着座者の所望のスライド調整位置に復帰する。
【先行技術文献】
【特許文献】
【０００４】
【特許文献１】特開２０１４−１６６８２３号公報
【発明の概要】
【発明が解決しようとする課題】
【０００５】  特許文献１のメモリピンは、上記のようにケース内に収容され、同じく、そのケース内に収容されたコイルスプリングにより上方向に付勢されているが、ウォークイン動作時においては、下方に強制的に移動する。ロアレール底壁上に、長尺で、長手方向に沿って所定間隔ごとに形成された貫通孔を有するメモリガイドという板状部材が固定されており、メモリピンは下方に移動すると、この貫通孔に先端が係合し、ロアレール側に留まる。このように、特許文献１のメモリ機構は、メモリピンをロアレール側に留まらせるために、メモリピンが係合する貫通孔を有するメモリガイドという板状部材をロアレールに設ける必要があり、部品点数が増え、重量が嵩む。これを回避するため、メモリガイドをロアレールに設けずに、ロアレールの底壁部に直接、係合用の孔部を設けたものもあるが、その場合には、ロアレールの強度、剛性に影響がでる。【０００６】  本発明は上記に鑑みなされたものであり、メモリ機能を果たす部材をロアレール側に留まらせるために、別途特別な部材をロアレール側に設ける必要がなく、部品点数及び重量の増加を招くことがなく、また、ロアレールの強度、剛性の低下をもたらさないウォークイン機構を備えたシートスライド装置を提供することを課題とする。
【課題を解決するための手段】
【０００７】  上記課題を解決するため、本発明のシートスライド装置は、  長手方向の少なくとも一方の側壁部にスライドロック用被係合部を有するロアレールと、  前記ロアレールにスライド可能に設けられ、シートが支持されるアッパーレールと、  前記スライドロック用被係合部に係合可能なスライド用係合部を備え、前記アッパーレールを前記ロアレールに対して適宜のスライド調整位置でロックするスライドロック機構と、  前記シートのシートバックを前倒させ、前記シートを前方に移動させるウォークイン機構とを有し、  前記ウォークイン機構は、  ウォークイン動作時に、前記アッパーレールから独立して前記スライド調整位置で留まり、ウォークイン動作後の前記アッパーレールの復帰位置を前記スライド調整位置となるように規制するメモリ部材を有し、かつ、  前記メモリ部材を前記スライド調整位置で留まらせるための前記メモリ部材の係合対象が、前記スライドロック用被係合部であることを特徴とする。【０００８】  前記メモリ部材が、前記ロアレールの前記スライドロック用被係合部に対応する位置に設けられ、前記スライドロック用被係合部に係合する方向に付勢されたメモリ用係合部を有し、  ウォークイン動作時以外では、前記メモリ用係合部の前記スライドロック用被係合部との係合を解除した状態として、前記メモリ部材を前記アッパーレールに追従可能とし、ウォークイン動作時では、前記メモリ用係合部の前記スライドロック用被係合部への係合を許容するメモリ部材制御機構が前記アッパーレールに設けられていることが好ましい。【０００９】  前記メモリ部材が、  前記ロアレールの側壁部に沿って移動可能に支持されるベース部と、  前記ベース部に一体に設けられ、前記メモリ用係合部を備えると共に、前記メモリ用係合部を前記スライドロック用被係合部に係合する方向に付勢するばね力を有している係合板部とを有することが好ましい。【００１０】  前記ロアレールの前記側壁部は、外壁部、上壁部及び内壁部を有し、前記内壁部に、長手方向に沿って前記スライドロック用被係合部が設けられており、  前記メモリ部材は、  前記ベース部が、前記側壁部の前記上壁部に跨がる断面略Ｕ字状に形成され、  前記係合板部が、前記ベース部において前記側壁部の内側に位置する内面部の下縁部から上方に折り返されて形成され、上縁部が前記ベース部の高さよりも上方位置まで延び、前記スライドロック用被係合部方向に近接する方向に付勢されており、  前記ベース部の前記内面部のうち、前記係合板部と対面する位置では切り欠き部が形成され、前記係合板部に形成された前記ロック用係合部が、前記切り欠き部を介して前記スライドロック用被係合部に係合可能であることが好ましい。  前記メモリ部材は、板ばね材料から形成され、前記係合板部が前記ロアレール及び前記アッパーレール間に位置し、前記ロアレール及び前記アッパーレール間におけるガタつきを抑制する機能を有することが好ましい。【００１１】  前記メモリ部材制御機構が、ウォークイン動作時以外では、前記メモリ部材の前記係合板部に接し、前記メモリ用係合部が前記スライドロック用被係合部から離間する方向に前記係合板部を変位させ、ウォークイン動作時では、前記係合板部から離��する係合板制御部を有することが好ましい。【００１２】  前記スライドロック機構は、前記スライド用係合部を有するロック用プレート部材が上下動可能に前記アッパーレールに支持されていると共に、前部が前記アッパーレールの前方から外方に突出し、上下操作されることにより、その後部の変位によって前記ロック用プレート部材を上下動させ、前記スライド用係合部を前記スライドロック用被係合部に係脱させるスライド操作部材が配設されており、  前記メモリ部材制御機構が、  前記アッパーレールの上壁部に固定される取り付けブラケットと、  前記取り付けブラケットに軸支され、通常姿勢では前記ロック用プレート部材を下降させず、前部が下方へ回転することにより、前部に下方に突出するように設けられた前部突出片が前記ロック用プレート部材を下降させ、前記スライドロック用被係合部との係合を解除させる第１リンクと、  前記取り付けブラケットに軸支され、前記シートバックの前倒に伴って前端側が下方へ回転する方向に動作可能であり、ウォークイン動作以外の前記シートバックの前倒時は単独で回転する一方、ウォークイン動作時に前端が下方へ回転する方向に動作すると、前記第１リンクをその前部が下方に回転する方向に動作させる第２リンクと、  ウォークイン動作時に、前記第１リンクをその前部が下方に回転した姿勢を維持する姿勢維持機構とを有し、かつ、  前記係合板制御部が、前記第１リンクの後部に下方に突出させた突出片からなり、前記第１リンクの通常姿勢では、前記メモリ部材の前記係合板部に接し、前記メモリ用係合部が前記スライドロック用被係合部から離間する方向に前記係合板部を弾性変形せている一方、ウォークイン動作時に、前記第１リンクの前部が下方に回転すると上方に変位して、前記係合板部から離間する構成であることが好ましい。
【発明の効果】
【００１３】  本発明のシートスライド装置は、ウォークイン機構を構成するメモリ部材が、ロアレールに設けられた通常のスライド調整位置でロックするために用いられるスライドロック用被係合部に係合可能である。従って、本発明によれば、ウォークイン動作時にメモリ部材を留めるための特別な部材をロアレールに設けたり、あるいは、ロアレールにメモリ部材を係合させるための係合穴を穿設したりする必要がなく、通常のスライド調整用のスライドロック用被係合部を利用してウォークイン動作を可能としているため、部品点数及び重量の増加を招いたり、ロアレールの強度、剛性を低下させたりすることがない。
【図面の簡単な説明】
【００１４】
【図１】図１は、本発明の一の実施形態に係るシートスライド装置の概略構成を示した斜視図である。
【図２】図２（ａ）は、図１のシートスライド装置の一方のスライダの平面図であり、図２（ｂ）はその側面図である。
【図３】図３（ａ）は、スライダのスライドロック機構を説明するための分解斜視図であり、図３（ｂ）はそのスライドロック機構の拡大斜視図である。
【図４】図４は、スライダ、メモリ部材、メモリ部材制御機構の取り付け位置関係を示した斜視図である。
【図５】図５（ａ）は、メモリ部材をベース部側から見た斜視図であり、図５（ｂ）は、メモリ部材を係合板部側から見た斜視図であり、図５（ｃ）は背面図である。
【図６】図６は、メモリ部材制御機構を説明するための分解斜視図である。
【図７】図７（ａ）は、スライダにメモリ部材及びメモリ部材制御機構を取り付けた状態の後端側から見た斜視図であり、図７（ｂ）は図７（ａ）のＡ−Ａ線断面図であって、メモリ部材のメモリ用係合部がスライドロック用被係合部に係合していない状態を示した図であり、図７（ｃ）は図７（ａ）のＡ−Ａ線断面図であって、メモリ部材のメモリ用係合部がスライドロック用被係合部に係合している状態を示した図である。
【図８】図８（ａ）〜（ｃ）は、通常のスライド位置調整の作用を説明するための図であり、図８（ｄ）は、図８（ｃ）のＡ矢視図である。
【図９】図９（ａ）〜（ｃ）は、ウォークイン操作機構を説明するための図である。
【図１０】図１０（ａ）〜（ｂ）は、ウォークイン動作時の作用を説明するための図であり、図１０（ｃ）は、図１０（ｂ）の状態における後部付近の拡大図である。
【図１１】図１１（ａ）〜（ｂ）は、ウォークイン動作時の作用を説明するための図である。
【図１２】図１２（ａ）は、図１０（ａ）の後部突出片がメモリ部材の係合板部を弾性変形させているときのＡ矢視図であり、図１２（ｂ）は、図１２（ａ）を若干角度を変えて見た図であり、図１２（ｃ）は、図１０（ｂ）の後部突出片がメモリ部材の係合板部から離間したときのＢ矢視図であり、図１２（ｄ）は、図１２（ｃ）を若干角度を変えて見た図である。
【図１３】図１３（ａ）〜（ｃ）は、ウォークインの状態から元の状態に戻す際の作用を説明するための図である。
【図１４】図１４（ａ）は、図１３（ｂ）のＡ矢視図であり、図１４（ｂ）は、図１３（ｃ）のＢ矢視図である。
【発明を実施するための形態】
【００１５】  以下、図面に示した実施形態に基づき、本発明をさらに詳細に説明する。図１に示したように、シートスライド装置１は、車体の幅方向に所定間隔をおいて左右一対配設されるスライダ１０，１０を有し、スライダ１０は、それぞれ、ロアレール１１、アッパーレール１２、スライドロック機構１５及びウォークイン機構２０等を有して構成される。各ロアレール１１は車体フロアに固定され、各アッパーレール１２にシートクッション２Ａの左右のサイドフレームが連結される。なお、シートクッション２Ａの後部には、リクライニングアジャスタ３を介してリクライニング可能なシートバック２Ｂが設けられている。
【００１６】  図２及び図３に示したように、ロアレール１１は、底壁部１１ａと、底壁部１１ａの両側から立ち上がって互いに対向する一対の外壁部１１ｂ，１１ｂと、各外壁部１１ｂ，１１ｂの上縁から互いに内方に曲げられていると共に、対向縁同士が所定間隔離間している一対の上壁部１１ｃ，１１ｃと、上壁部１１ｃ，１１ｃの内端縁から下方に向かって折り曲げられ、外壁部１１ｂ，１１ｂの高さ方向略中央位置まで延在する内壁部１１ｄ，１１ｄを有している。各外壁部１１ｂ，１１ｂ、各上壁部１１ｃ，１１ｃ及び各内壁部１１ｄ，１１ｄにより、ロアレール１１の長手方向両側の側壁部１１ｆ，１１ｆが構成されている。従って、ロアレール１１は、全体として、長手方向に直交する幅方向の断面形状で、上面開口の略Ｕ字状に形成されている。そして、２つの内壁部１１ｄ，１１ｄの各下縁部には、櫛歯状に下方に向けて突出する歯部からなるスライドロック用被係合部１１ｅ，１１ｅが形成されている。
【００１７】  アッパーレール１２は、上壁部１２ａと、上壁部１２ａの両側から下方に曲げられて互いに対向する一対のアッパー側の側壁部１２ｂ，１２ｂとを有する、幅方向断面が下面開口の略コ字状に形成されている。また、アッパー側の各側壁部１２ｂ，１２ｂの下端部から外側上方に折り返される折り返し片１２ｃ，１２ｃを有している。そして、アッパーレール１２は、各折り返し片１２ｃ，１２ｃを、ロアレール１１の各外壁部１１ｂ，１１ｂに対向するように、該各外壁部１１ｂ，１１ｂと各内壁部１１ｄ，１１ｄとの間に位置させて配設される（図７（ｂ），（ｃ）参照）。
【００１８】  次に、本実施形態のスライドロック機構１５について説明する。このスライドロック機構１５は、図３（ａ），（ｂ）に示したように、ロックプレート１５１、スライドロック機構支持部材１５２、くさび構造体１５３，１５３、リリースプレート１５４、ロック解除操作部材１５５等を有して構成され、アッパーブラケット１２０によって支持される。
【００１９】  アッパーブラケット１２０は、上面部１２１と、その幅方向各側縁から下方に折り曲げられた一対の側面部１２２，１２２を有する幅方向断面で略コ字状に形成され、開口側をロアレール１１側に向けて、前記アッパーレール１２の内側において、適宜部位をアッパーレール１２の上壁部１２ａ、各側壁部１２ｂ，１２ｂに溶接等により、好ましくはレーザー溶接により固定される。
【００２０】  アッパーブラケット１２０の各側面部１２２，１２２の適宜位置には、窓部１２２ａ，１２２ａが貫通形成されており、アッパーレール１２の各側壁部１２ｂ，１２ｂにも、対応する位置に窓部１２ｂ１，１２ｂ１が貫通形成されている。ロックプレート１５１は、平面視で略四角形に形成され、対向する一対の側縁部１５１ａ，１５１ａが、それぞれ、これらの窓部１２２ａ，１２ｂ１から外方に突出するように配設される。各側縁部１５１ａ，１５１ａには、ロアレール１１及びアッパーレール１２の長手方向に沿って、それぞれ複数の孔部１５１ｂ，１５１ｂが形成されている。この長手方向に隣接する孔部１５１ｂ，１５１ｂ間の間隔は、ロアレール１１の長手方向に隣接するスライドロック用被係合部１１ｅ，１１ｅ間の間隔と同じになるように形成されると共に、各孔部１５１ｂ，１５１ｂは、スライドロック用被係合部１１ｅ，１１ｅが挿入し得る大きさで形成される。
【００２１】  スライドロック機構支持部材１５２は、ベースプレート部１５２ｅと、該ベースプレート部１５２ｅからアッパーブラケット１２０の上面部１２１方向（アッパーレール１２の上壁部１２ａ方向）に突出するロックプレート用ガイド軸１５２ａと、アッパーレール１２の長手方向に沿って所定間隔をおいて該ロックプレート用ガイド軸１５２ａを挟んで一対設けられ、前記ロックプレート用ガイド軸１５２ａと同方向（アッパーレール１２の上壁部１２ａ方向）に突出するくさび用ガイド軸１５２ｂ，１５２ｂを有して構成されている。
【００２２】  そして、ロックプレート１５１、くさび構造体１５３、リリースプレート１５４及びロック解除操作部材１５５を、アッパーブラケット１２０の上面部１２１との間に位置させて、ベースプレート部１５２ｅがアッパーブラケット１２０の各側面部１２２，１２２の下部付近に溶接等により、好ましくはレーザー溶接により固定される。このような構成とすることにより、すなわち、ベースプレート部１５２ｅを設け、ロックプレート用ガイド軸１５２ａ及びくさび用ガイド軸１５２ｂ，１５２ｂをこのベースプレート部１５２ｅに支持させてアッパーブラケット１２０に固定することにより、アッパーレール１２に各ガイド軸１５２ａ，１５２ｂ等を直接支持させる場合と比較して、それらを支持するための加工穴等を形成したりする必要がなく、アッパーレール１２の強度低下をもたらすことがない。
【００２３】  ロックプレート１５１は、ロックプレート用ガイド軸１５２ａを、該ロックプレート１５１の中心に貫通形成したガイド孔１５１ｃに挿通するようにして配設される。また、ロックプレート用ガイド軸１５２ａには、ロックプレート１５１をアッパーブラケット１２０の上面部１２１方向にすなわち上方に付勢するように弾性支持する弾性支持手段であるロックプレート用スプリング１５２ｃが装填されている。また、くさび用ガイド軸１５２ｂ，１５２ｂには、くさび構造体１５３，１５３の挿通孔１５３ａ，１５３ａが挿通されており、該楔構造体１５３，１５３はくさび用スプリング１５２ｄ，１５２ｄにより上方に付勢されている。
【００２４】  リリースプレート１５４は、中央挿通孔１５４ａと、該中央挿通孔１５４ａからアッパーレール１２の長手方向に沿った方向の所定距離離間した位置に設けられた端部挿通孔１５４ｂ，１５４ｂを有している。リリースプレート１５４は、ロックプレート１５１及びくさび構造体１５３，１５３の上側であるアッパーブラケット１２０の上面部１２１側に配置され、中央挿通孔１５４ａは、ロックプレート１５１のガイド孔１５１ｃに挿通されたロックプレート用ガイド軸１５２ａが挿通され、端部挿通孔１５４ｂ，１５４ｂには、くさび構造体１５３，１５３の挿通孔１５３ａ，１５３ａを貫通したくさび用ガイド軸１５２ｂ，１５２ｂが挿通される。なお、アッパーブラケット１２０の上面部１２１には、中央挿通孔１５４ａ及び端部挿通孔１５４ｂ，１５４ｂにそれぞれ対応する位置に、中央配置孔１２１ａ及び端部配置孔１２１ｂ，１２１ｂが形成されている。
【００２５】  ロック解除操作部材１５５は、所定の長さを有し、アッパーレール１２の内側に配設される。ロック解除操作部材１５５は、その前端部１５５ａがアッパーレール１２の前端から突出し（図２、図３（ａ）参照）、この前端部１５５ａに把持部（図示せず）が連結されて、操作者が上下に操作できるようになっている。ロック解除操作部材１５５は、長手方向中途部を中心として、前端部１５５ａが上下に変位すると、後端部１５５ｂが逆方向に変位する。そのため、後端部１５５ｂによって、リリースプレート１５４が下方に押圧されるように設けられている。本実施形態では、図３（ａ），（ｂ）に示したように、リリースプレート１５４とアッパーブラケット１２０の上面部１２１との間に後端部１５５ｂを配置し、リリースプレート１５４を後端部１５５ｂが下方に押圧できるようになっている。すなわち、後端部１５５ｂに、リリースプレート１５４の前端寄りの端部挿通孔１５４ｂと中央挿通孔１５４ａに対応する貫通孔１５５ｃ，１５５ｄが形成されており、この貫通孔１５５ｃ，１５５ｄに一方のくさび用ガイド軸１５２ｂとロックプレート用ガイド軸１５２ａがそれぞれ挿通される。従って、後端部１５５ｂがこれらのガイド軸１５２ａ，１５２ｂに沿って下方に変位すると、リリースプレート１５４を下方に押圧することができる。
【００２６】  なお、ロック解除操作部材１５５は、上記のように動作するため、長手方向中途部に設けた凸部１５５ｅが、アッパーブラケット１２０の前端部の側面部１２２，１２２間に軸支されるように設けられる。このようにして各部材を配置した後、ロックプレート用ガイド軸１５２ａ、くさび用ガイド軸１５２ｂ，１５２ｂの各上端部は、上記したアッパーブラケット１２０の上面部１２１に形成された中央配置孔１２１ａ及び端部配置孔１２１ｂ，１２１ｂに挿通される。
【００２７】  次にウォークイン機構２０について説明する。ウォークイン機構２０は、メモリ部材２１０、メモリ部材制御機構２２０、ウォークイン操作機構２３０を有している。メモリ部材２１０は、図５に示したように、ベース部２１１と係合板部２１２とを有し、これらが板ばね材料から一体に形成されている。ベース部２１１は、ロアレール１１の長手方向に沿って数ｃｍ〜１０数ｃｍ程度の長さを有し、外面部２１１ａ、上面部２１１ｂ及び内面部２１１ｃを有する断面略Ｕ字状に形成され、図４に示したように、ロアレール１１の長手方向両側のいずれか一方の側壁部１１ｆに、開口側を下方に向け、上壁部１１ｃを挟んだ外壁部１１ｂと内壁部１１ｄとに跨がるように配置される。ベース部２１１がこのように、ロアレール１１の側壁部１１ｆに跨がり、アッパーレール１２とロアレール１１との僅かな隙間に配置され、また、ベース部２１１を含むメモリ部材２１０が、板ばね材料から構成されるため、本実施形態のメモリ部材２１０は、それ自体の有するウォークイン動作時におけるスライド調整位置の保持機能に加え、ロアレール１１とアッパーレール１２との間でくさび効果を発揮し、ロアレール１１及びアッパーレール１２間のガタつき（特に、ロアレール１１がアッパーレール１２に対して幅方向に揺動しようとするガタつき）を抑制し、スライダ１０全体の剛性を高める機能も果たす。また、本実施形態では、図１に示したように、メモリ部材２１０が左右のスライダ１０，１０の両方に設けられる。なお、ロアレール１１，１１の内側に配置されるため、図１では、左側のスライダ１０のみ見えている。よって、メモリ部材２１０の弾性によるくさび機能が左右のスライダ１０，１０のそれぞれで発揮されるため、シートスライド装置１全体におけるガタつきが抑制される。それにより、スライドロック機構１５のスライドロック用被係合部１１ｅへのロック動作、後述するようなメモリ部材２１０によるスライドロック用被係合部１１ｅへの係合動作の円滑化に貢献する。そして、ベース部２１１は、ロアレール１１の一方の側壁部１１ｆの長手方向に沿ってすなわちシートクッション２Ａの前後方向にスライド可能になっている。また、図５に示したように、ベース部２１１の内面部２１１ｃにおける、ロアレール１１の後方寄りの端部には、上方に立ち上がると共に、上部２１３ａが外面部２１１ａ方向に突出する折り曲げられたＬ字形ストッパ片２１３が設けられている。
【００２８】  係合板部２１２は、ベース部２１１の内面部２１１ｃの長手方向の一部の範囲から下方に延びるように設けられ、さらに、内面部２１１ｃの下縁部から外側に折り返して上方に延びるように形成されたものである。係合板部２１２は、高さ方向の中途位置であって、ロアレール１１のスライドロック用被係合部１１ｅに対応する位置に、該スライドロック用被係合部１１ｅに係合するメモリ用係合部２１２ａが形成されている。係合板部２１２は、ベース部２１１の内面部２１１ｃを外側に折り返して上方に延在させているため、ベース部２１１の内面部２１１ｃに対面することになるが、内面部２１１ｃのうち、該係合部２１２と対面する領域は切り欠き部２１１ｄとなっている。この切り欠き部２１１ｄは、内面部２１１ｃ側から上面部２１１ｂの幅方向略中央位置の範囲に至るまで形成されており、該切り欠き部２１１ｄに対応する範囲では、スライドロック用被係合部１１ｅが該切り欠き部２１１ｄを介して直接係合板部２１２に対面する。そして、係合板部２１２は、この切り欠き部２１１ｄに向かって、常態において該切り欠き部２１１ｄ内に侵入する位置に至るように付勢するばね力が付与されている。従って、メモリ用係合部２１２ａは、切り欠き部２１１ｄを介して対向するスライドロック用被係合部１１ｅに係合する方向（図５（ｃ）の矢印Ａ方向、つまり破線から実線の位置に向かう方向）に常時付勢されている。
【００２９】  係合板部２１２は、メモリ用係合部２１２ａよりも上部の領域が、切り欠き部２１２ｄに接近する方向に若干傾斜した傾斜面２１２ｃになっていると共に、その両側にさらに内方に突出するメモリ側突出片２１２ｄ，２１２ｄが設けられている。このメモリ側突出片２１２ｄ，２１２ｄ内であって、傾斜面２１２ｃと切り欠き部２１１ｄとの間に、後述するメモリ部材制御機構２２０の係合板制御部（後部突出片２２２ｅ）が侵入しようとすると、該傾斜面２１２ｃが切り欠き部２１２ｄから離脱する方向（図５（ｃ）の矢印Ｂ方向、つまり実線から破線の位置に向かう方向）に引き起こされるように弾性変形せしめられ、メモリ用係合部２１２ａのスライドロック用被係合部１１ｅへの係合が解除される。係合板制御部（後部突出片２２２ｅ）が離れると、メモリ用係合部２１２ａは係合板部２１２の復元力により、スライドロック用被係合部１１ｅに再び係合する。
【００３０】  メモリ部材制御機構２２０は、図６に示したように、アッパーレール１２の上壁部１２ａの上面に固定される取り付けブラケット２２１を有している。取り付けブラケット２２１は、底面部２２１ａと、底面部２２１ａの幅方向両側から立ち上がる側面部２２１ｂ，２２１ｂを有しており、底面部２２１ａが、アッパーレール１２の後端寄りの上壁部１２ａの上面に溶接等により固着され、２枚の側面部２２１ｂ，２２１ｂが、アッパーレール１２の長手方向に沿って延び、相互に対面するように設けられている。
【００３１】  取り付けブラケット２２１には、第１リンク２２２が回転可能に設けられる。第１リンク２２２は、アッパーレール１２の長手方向前方に向いている前面プレート部２２２ａと、前面プレート部２２２ａの幅方向両側から後方に折れ曲げられて相互に対向する側面プレート部２２２ｂ，２２２ｃとを備えた平面視で略コ字状に形成されている。なお、一方の側面プレート部２２２ｂは、他方の側面プレート部２２２ｃよりも後方まで延びる長さを有している。一方の側面プレート部２２２ｂの長手方向略中央部と他方の側面プレート部２２２ｃの後部付近には、共に貫通孔２２２ｂ１，２２２ｃ１が形成されており、一方の側面プレート部２２２ｂを取り付けブラケット２２１の一方の側面部２２１ｂの外面に重ね、他方の側面プレート部２２２ｃを取り付けブラケット２２１の他方の側面部２２１ｂの内面に重ねるように配置し（図４、図９（ｃ）参照）、貫通孔２２２ｂ１，２２２ｃ１を、取り付けブラケット２２１の側面部２２１ｂ，２２１ｂの前方部に形成した各軸挿通孔２２１ｂ１，２２１ｂ１に連通させ、各軸挿通孔２２１ｂ１，２２１ｂ１及び貫通孔２２２ｂ１，２２２ｃ１にリンク用軸部２２１ｃを挿通する。これにより、第１リンク２２２は、リンク用軸部２２１ｃを中心として回転可能に軸支される。
【００３２】  前面プレート部２２２ａには、下方に突出する前部突出片２２２ｄが設けられている。この前部突出片２２２ｄに対応する位置における、アッパーレール１２の上壁部１２ａには、該前部突出片２２２ｄが侵入可能な突出片用貫通孔１２ａ１が形成されており、第１リンク２２２が、リンク用軸部２２１ｃを中心として前部プレート部２２２ａ側が下がる方向に回転すると、前部突出片２２２ｄがこの突出片用貫通孔１２ａ１内に侵入する方向となり、逆方向に回転すると、該前部突出片２２２ｄが突出片用貫通孔１２ａ１から離脱する方向となる。前部突出片２２２ｄは、突出用貫通孔１２ａ１内に侵入すると、さらに、突出用貫通孔１２ａ１に対応する位置に設けられたアッパーブラケット１２０の上面部１２１の貫通孔１２１ｃ（図３（ｂ）参照）を介し、スライドロック機構１５のロック解除操作部材１５５において、凸部１５５ｅよりも後端部１５５ｂ寄りを下方に押圧する。これにより、リリースプレート１５４が下方に押圧され、スライドロック機構１５によるロックを解除する。
【００３３】  対向する側面プレート部２２２ｂ，２２２ｃに形成された上記の貫通孔２２２ｂ１，２２２ｃ１よりも前方においては、各側面プレート部２２２ｂ，２２２ｃの長手方向に沿って長い長孔２２２ｂ２，２２２ｃ２が形成されている。長孔２２２ｂ２，２２２ｃ２には第１シャフト２２３が挿通される。この第１シャフト２２３には、一端が前部プレート部２２２ａに掛け渡されたコイルスプリングからなる第１シャフト用スプリング２２３ａの他端が係合され、前部プレート２２２ａ側に引き寄せられる方向に付勢されている。
【００３４】  また、メモリ部材制御機構２２０は、第１リンク２２２の一方の側面プレート部２２２ｂと取り付けブラケット２２１の一方の側面部２２１ｂとの間に配置される作用プレート部２２４ａ、この作用プレート部２２４ａの下端縁から、ロアレール１１の側壁部１１ｆを構成する外壁部１１ｂの外方まで横方向に延びる横方向プレート部２２４ｂ、及び、横方向プレート部２２４ｂの外縁より下方に折り曲げられた縦方向プレート部２２４ｃを一体に備えてなる第２リンク２２４を有している。作用プレート部２２４ａの略中心部には貫通孔２２４ａ１が形成されており、この貫通孔２２４ａ１に上記のリンク用軸部２２１ｃが挿通されており、第２リンク２２４も、リンク用軸部２２１ｃを中心に回転可能になっている。
【００３５】  第２リンク２２４の作用プレート部２２４ａと取り付けブラケット２２１の一方の側面部２２１ｂとの間に、環状のカラー２２５が介在され、その周囲に、第１リンク２２２及び第２リンク２２４を共に、前端側を上方に引き起こす方向に付勢するスプリングとしてリンク用スプリング２２６が支持される。リンク用スプリング２２６は、ねじりコイルばねからなり、環状部がカラー２２５の周囲に支持されると共に、各フック２２６ａ，２２６ｂは、相互に反対方向に突出し、一方のフック２２６ａは、第１リンク２２２の一方の側面プレート部２２２ｂの下端縁に形成した切り欠き２２２ｂ３と、第２リンク２２４の作用プレート部２２４ａの下端縁に形成した切り欠き２２４ａ２との両方に係合されている。他方のフック２２６ｂは、取り付けブラケット２２１の一方の側面部２２１ｂの下部前端縁に設けた切り欠き２２１ｂ２に係合されている。ねじりコイルばねからなるリンク用スプリング２２６は、拡径方向に復元力が作用し、上記のように、第１リンク２２２及び第２リンク２２４を共に、前端側を上方に引き起こす方向に付勢している。
【００３６】  第２リンク２２４の作用プレート部２２４ａには、前方に突出する第２リンク突出部２２４ａ３が設けられている。第２リンク突出部２２４ａ３は、第１シャフト２２３よりも上方位置である作用プレート部２２４ａの前端上部に突出されている。また、上記のリンク用スプリング２２６の復元力に抗して、第２リンク突出部２２４ａ３が下方に変位する方向に第２リンク２２４が回転した際、第１シャフト２２３が長孔２２２ｂ２，２２２ｃ２内を後方に移動している場合に、該第２リンク突出部２２４ａ３が接触して第１リンク２２２の前端側を下方に押し、第１シャフト２２３が長孔２２２ｂ２，２２２ｃ２内を前方に移動している場合（図１０（ａ）参照）には、第２リンク突出部２２４ａ３が該第１シャフト２２３に接触しないような位置関係で設けられる。
【００３７】  第１リンク２２２には、その前部が下方に回転した際に、その姿勢を維持する姿勢維持機構２２７が設けられている。姿勢維持機構２２７は、ストッパー用リンク２２７ａと、姿勢維持ピン２２７ｂと、姿勢維持ピン用スプリング２２７ｃとを有している。ストッパー用リンク２２７ａは、所定の長さを有し、その一端部が、第１リンク２２２の後端部２２２ｆに、第２シャフト２２７ｄにより回転可能に軸支されて配設される。ストッパー用リンク２２７ａの中途部には、姿勢維持ピン挿通孔２２７ａ１が形成されている。また、取り付けブラケット２２１の各側面部２２１ｂ，２２１ｂの後端縁よりやや前方寄りには、前後方向に長い長孔からなるガイド孔２２１ｂ３，２２１ｂ３が形成されている。このガイド孔２２１ｂ３，２２１ｂ３は、その内周下縁が、前端寄りでは深く、後端方向に向かって次第に浅くなるように傾斜した傾斜部２２１ｂ３１，２２１ｂ３１を有した形状になっている。姿勢維持ピン２２７ｂは、ストッパー用リンク２２７ａの姿勢維持ピン挿通孔２２７ａ１に挿通されると共に、各ガイド孔２２１ｂ３，２２１ｂ３に跨がるように配設される。
【００３８】  姿勢維持ピン用スプリング２２７ｃは、一端が姿勢維持ピン２２７ｂに係合され、他端が、取り付けブラケット２２１の後端部に設けたスプリング係合部２２１ａ１に係合される（図８（ａ）〜（ｃ）参照）。スプリング係合部２２１ａ１の係合位置は、ストッパー用リンク２２７ａを軸支している第２シャフト２２７ｄの回転中心位置よりも低所になっている。そのため、姿勢維持ピン用スプリング２２７ｃは、第２シャフト２２７ｄを中心として、ストッパー用リンク２２７ａを、下方から後方に向かって回転させる方向に付勢する。
【００３９】  第２シャフト２２７ｄが挿通される第１リンク２２２の後端部２２２ｆの下部の手前には、段差部２２２ｇが設けられている。一方、第１リンク２２２は、リンク用スプリング２２６により前部側が上方に、すなわち、後述の後部突出片２２２ｅがメモリ側突出片２１２ｄ，２１２ｄ間に位置する方向に付勢されている（図８（ａ）〜（ｄ）参照）。そして、この姿勢において、すなわち、第１リンク２２２がアッパーレール１２の上壁部１２ａの上面に沿って略平行となっている姿勢において、段差部２２２ｇは、ガイド孔２２１ｂ３，２２１ｂ３の内周縁の前端との間で、姿勢維持ピン２２７ｂを挟むことができる隙間が形成される位置に設けられる（図８（ｂ），（ｃ）参照）。よって、第１リンク２２２が、アッパーレール１２の上壁部１２ａに側面視で略平行な姿勢になっている状態においては、姿勢維持ピン２２７ｂは、段差部２２２ｇによって後方への動きが規制され、ガイド孔２２１ｂ３，２２１ｂ３の内周の前端寄りに位置し、ストッパー用リンク２２７ａはその下端が前方に向いた姿勢となる（図８（ａ）〜（ｄ）参照）。
【００４０】  ここで、第１リンク２２２においては、図８（ａ）〜（ｄ）に示したように、メモリ部材２１０の係合板部２１２に係合する係合板制御部を有している。係合板制御部は、メモリ用係合部２１２ａのスライドロック用被係合部１１ｅへの係合、離間を制御する部材であり、本実施形態では、係合板部２１２に離接可能な突出片（「後部突出片」）２２２ｅから構成される。後部突出片２２２ｅは、メモリ部材２１０が配設されるロアレール１１の側壁部１１ｆ側における一方の側面プレート部２２２ｂであって、第１シャフト２２３の軸支位置よりも後部側で、ストッパー用リンク２２７ａを軸支する第２シャフト２２７ｄよりも前部側に設けられる。
【００４１】  後部突出片２２２ｅは、一方の側面プレート部２２２ｂの下縁よりも下方に突出していると共に、本実施形態では、下方に向かうに従い、対向するロアレール１１の側壁部１１ｆに接近する方向に突出するような形状をなしている（図８（ｄ）参照）。後部突出片２２２ｅの幅（アッパーレール１２の長手方向に沿った長さ）は、メモリ部材２１０における係合板部２１２の両側に突出するメモリ側突出片２１２ｄ，２１２ｄ間の幅とほぼ同じかそれよりも若干狭い程度で形成されている。後部突出片２２２ｅは、上記のようにロアレール１１の側壁部１１ｆに接近する方向に突出しており、これに対応するメモリ部材２１０では傾斜面２１２ｃがスライドロック用被係合部１１ｅ側に傾斜している（図７（ｂ），（ｃ）参照）。よって、メモリ側突出片２１２ｄ，２１２ｄ間に後部突出片２２２ｅが位置すると、図７（ｂ）に示したように、後部突出片２２２ｅは、メモリ側突出片２１２ｄ，２１２ｄ間の傾斜面２１２ｃをスライドロック用被係合部１１ｅから離間する方向に引き起こす。よって、メモリ用係合部２１２ａは、隣接するスライドロック用被係合部１１ｅ，１１ｅ間に侵入しない状態となる。
【００４２】  第１リンク２２２におけるメモリ部材２１０が配設される側の一方の側面プレート部２２２ｂの外面には、該側面プレート部２２２ｂの上縁寄りの位置から天板２２８ａが外方に突出する姿勢の断面略逆Ｌ字状のケーブルブラケット２２８が固定される。このケーブルブラケット２２８は天板２２８ａの下方に配設されるウォークイン操作機構２３０のケーブルを保護する機能を果たす。
【００４３】  なお、図１に示したように、上記のスライドロック機構１５、ウォークイン機構２０のメモリ部材２１０及びメモリ部材制御機構２２０は、左右のスライダ１０，１０の両方に設けられる。
【００４４】  ウォークイン操作機構２３０は、図１及び図９に示したように、ウォークインレバー２３１、ウォークイン用ケーブル（第１、第２、第３ケーブル２３２，２３３、２３４）を有して構成される。まず、ウォークインレバー２３１は、例えば、シートバック２Ｂの上部のいずれかの側部（肩部）に設けられる。ウォークインレバー２３１には、第１ケーブル２３２が連結されており、この第１ケーブル２３２は、通常のリクライニング操作時に使用するリクライニングアジャスタ３のロック解除プレート３ｂに連結されている。リクライニングアジャスタ３には、シートバック２Ｂを任意のリクライニング角度で位置決めするたロック機構(図示せず)が内蔵されている。ロック機構は、カムの軸部を一方向に回転させることで、外歯を有するロックプレートが半径方向外方に移動し、インターナルギヤの内歯に噛合することでロックし、カムが逆方向に回転することでロックプレートが内方に移動して歯同士が噛合しなくなり、ロックが解除される。
【００４５】  通常のリクライニング角度の調整の際は、カムの軸部に連結されるリクライニングレバー３ａを操作してロック機構の解除を行うようになっている。ロック解除プレート３ｂも、カムの軸部に連結されていると共に、常態では図示しないばね部材によりロックが解除されない方向に付勢されている。そして、ロック解除プレート３ｂは、第１ケーブル２３２によりその付勢方向と逆方向に回転されることにより、リクライニングレバー３ａを操作することなく、ロック機構を解除する。
【００４６】  シートバック２Ｂにおける、ロック解除プレート３ｂを設けたサイドとは逆のサイドには、２本の第３ケーブル２３４，２３４が接続される連結プレート２３５が回転可能に設けられている。連結プレート２３５は、図示しないばね部材により、常態において後転方向に付勢されている。第３ケーブル２３４，２３４は、その一端が、該連結プレート２３５に、常態では、第３ケーブル２３４，２３４を引っ張る力が作用していない位置に接続されている。一方、連結プレート２３５には、シートバック２Ｂに固定されたブラケット２３６が、該シートバック２Ｂが所定角度前倒すると接触可能に設けられている。すなわち、シートバック２Ｂが所定角度前倒すると、ブラケット２３６が連結プレート２３５をばね部材の付勢力に抗して前転させ、第３ケーブル２３４，２３４を牽引する。シートバック２Ｂが前倒位置から所定角度後方に戻ると、ブラケット２３６が該連結プレート２３５から離間し、該連結プレート２３５はばね部材により原位置に復帰する。
【００４７】  ウォークインレバー２３１には、さらに、第２ケーブル２３３の一端が連結されている。第２ケーブル２３３は、中途で２本に枝分かれし、該第２ケーブル２３３，２３３の他端は、左右のスライダ１０，１０のそれぞれに設けられるメモリ部材制御機構２２０，２２０の第１シャフト２２３，２２３に連結される（図９（ｃ）参照）。
【００４８】  次に本実施形態の作用を説明する。まず、ウォークイン機構２０を操作しない状態では、図８に示したように、メモリ用制御機構２２０の係合板制御部である後部突出片２２２ｅが、メモリ部材２１０のメモリ側突出片２１２ｄ，２１２ｄ間に位置し、後部突出片２２２ｅは、メモリ側突出片２１２ｄ，２１２ｄ間の傾斜面２１２ｃをスライドロック用被係合部１１ｅから離間させ、メモリ用係合部２１２ａが隣接するスライドロック用被係合部１１ｅ，１１ｅ間に侵入しない状態（図７（ｂ）、図８（ａ）〜（ｃ）の状態）となっている。また、通常のスライド位置調整におけるスライドロック機構１５は、ロアレール１１の長手方向両側に形成されたスライドロック用被係合部１１ｅ，１１ｅに、ロックプレート１５１の各側縁部１５１ａ，１５１ａに形成された孔部１５１ｂ，１５１ｂが係合し、ロック状態（図８（ａ）の状態）となっている。
【００４９】  ロック状態からロック解除する場合には、まず、ロック解除操作部材１５５の前端部１５５ａを上方に動作させる。これにより、後端部１５５ｂが相対的に下方に下がる。後端部１５５ｂが下方に変位すると、リリースプレート１５４を下方に押圧する。リリースプレート１５４が下方に低下すると、ロックプレート１５１も、ロックプレート用スプリング１５２ｃの弾性力に抗して下方に変位し、ロックプレート１５１の孔部１５１ｂ，１５１ｂが、ロアレール１１のスライドロック用被係合部１１ｅ，１１ｅの歯先より離脱すると、ロック解除状態となる。これにより、アッパーレール１２をロアレール１１に対して相対的に前後に移動して位置調整を行うことが可能となる。
【００５０】  このとき、ウォークイン機構２０のメモリ用制御機構２２０の係合板制御部である後部突出片２２２ｅが、図８（ｄ）に示したように、メモリ部材２１０のメモリ側突出片２１２ｄ，２１２ｄ間に位置し、メモリ用係合部２１２ａをスライドロック用被係合部１１ｅに係合させていない状態になっている。また、第１リンク２２２は、リンク用スプリング２２６により前部側が上方に付勢されており、前部突出片２２２ｄが突出片用貫通孔１２ａ１の下方に突出しない状態になっていると共に、姿勢維持機構２２７のストッパー用リンク２２７ａの下端が前方に向いた姿勢となっている。このため、図８（ａ）〜（ｃ）に示したように、アッパーレール１２が前後にスライド調整されると、アッパーレール１２の上壁部１２ａに固定されたメモリ部材制御機構２２０が一緒に前後に移動する。それにより、係合板制御部である後部突出片２２２ｅがメモリ側突出片２１２ｄ，２１２ｄのいずれかの内側面に接触し、前後いずれかに押圧する。メモリ部材２１０は、ベース部２１１がロアレール１１の側壁部１１ｆに沿ってスライド可能であるため、メモリ側突出片２１２ｄ，２１２ｄが押圧されることにより、メモリ部材制御機構２２０と共に、すなわちアッパーレール１２と共に前後に移動する。
【００５１】  所定の位置調整を行ったならば、ロック解除操作部材１５５の前端部１５５ａを上方に動作させていた力を解除する。ロック解除操作部材１５５の後端部１５５ｂを相対的に下方に下げていた力がなくなるため、ロックプレート用スプリング１５２ｃ及びくさび用スプリング１５２ｄ，１５２ｄの弾性力によって、ロックプレート１５１及びくさび構造体１５３，１５３が、ロックプレート用ガイド軸１５２ａ、くさび用ガイド軸１５２ｂ，１５２ｂに沿って上昇する。これにより、ロックプレート１５１の孔部１５１ｂ，１５１ｂに、ロアレール１１のスライドロック用被係合部１１ｅ，１１ｅがその歯先より挿入され、ロックされる。なお、この状態では、上記のように、ウォークイン機構２０のメモリ部材２１０は、依然としてメモリ部材制御機構２２０の係合板制御部である後部突出片２２２ｅにより、メモリ側突出片２１２ｄ，２１２ｄ間の傾斜面２１２ｃをスライドロック用被係合部１１ｅから離間させている（図７（ｂ）の状態）。
【００５２】  次に、ウォークイン動作について説明する。まず、ウォークイン機構２０のウォークインレバー２３１を操作する。これにより、第１ケーブル２３２だけでなく、第２ケーブル２３３も引っ張られる。第２ケーブル２３３は、中途で２本に枝分かれして各他端が、左右のスライダ１０の第１シャフト２２３に連結されているため、各第１シャフト２２３を長孔２２２ｂ２内で、後方（図１０（ａ）のＦ１方向）に引き寄せる。第１ケーブル２３２が引っ張られることにより、リクライニングアジャスタ３のロック解除プレート３ｂがロック解除方向に動き、リクライニングアジャスタ３のロックが解除され、リクライニングレバー３ａを操作していないにも拘わらず、シートバック２Ｂが前倒する。シートバック２Ｂが前倒すると、シートバック２Ｂに付設されたブラケット２３６が連結プレート２３５を前方に回転させる。これにより、連結プレート２３５に連結された２本の第３ケーブル２３４が後方に引っ張られ、各スライダ１０のそれぞれの第２リンク２２４における縦方向プレート部２２４ｃの下部を後方（図１０（ａ）のＦ２方向）に回転させる。その結果、作用プレート部２２４ａは、前方かつ下方に回転し、前方に突出する第２リンク突出部２２４ａ３が、長孔２２２ｂ２，２２２ｃ２内の後方に位置する第１シャフト２２３に上側から当接する。すると、図１０（ａ）及び図１２（ａ），（ｂ）に示した状態にあった第１リンク２２２は、リンク用軸部２２１ｃを中心として前部プレート部２２２ａ側が下がる方向（図１０（ｂ）の矢印Ｆ３の方向）に回転し、前部突出片２２２ｄがアッパーレール１２の上壁部１２ａの突出片用貫通孔１２ａ１内に侵入し、スライドロック機構１５のロック解除操作部材１５５における後端部１５５ｂ寄りを下方に押圧し、リリースプレート１５４が下方に押圧され、ロックプレート１５１が下方（図１０（ｂ）の矢印Ｆ４方向）に移動し、スライドロック機構１５によるロックが解除される。
【００５３】  ここで、スライドロック機構１５のロックが解除される際には、上記のように、第１リンク２２２は、リンク用軸部２２１ｃを中心として前部プレート部２２２ａ側が下がる方向に回転する。そのため、図１０（ｃ）に示したように、第１リンク２２２の後部は相対的に上方に回転する。これにより、図１０（ｃ）及び図１２（ｃ），（ｄ）に示したように、後部突出片２２２ｅが上方（図１０（ｃ）の矢印Ｆ５方向）に移動し、メモリ部材２１０のメモリ側突出片２１２ｄ，２１２ｄ間から離脱し、後部突出片２２２ｅによる、係合板部２１２のばね力に抗して傾斜面２１２ｃをスライドロック用被係合部１１ｅから離間させる力がなくなり、係合板部２１２は、そのばね力（復元力）により、メモリ用係合部２１２ａ，２１２ａが隣接するスライドロック用被係合部１１ｅ，１１ｅ間に侵入して係合する。すなわち、メモリ用係合部２１２ａ，２１２ａの位置が図７（ｂ）の状態から図７（ｃ）の状態になる。
【００５４】  第１リンク２２２がアッパーレール１２の上壁部１２ａに略平行な姿勢になっている状態では、上記のように、第１リンク２２２の後端部２２２ｆの手前に設けた段差部２２２ｇに規制されて姿勢維持ピン２２７ｂは、取り付けブラケット２２１のガイド孔２２１ｂ３，２２１ｂ３の前方寄りに位置している。しかしながら、第１リンク２２２の後端部２２２ｆが相対的に上方に回転すると、段差部２２２ｇも上方に移動し、姿勢維持ピン２２７ｂの規制が解除され、姿勢維持ピン用スプリング２２７ｃの復元力により、ガイド孔２２１ｂ３，２２１ｂ３内を後方に移動する。姿勢維持ピン２２７ｂが後方に移動すると、第１リンク２２２の後端部２２２ｆの下縁が、該姿勢維持ピン２２７ｂ上に位置する（図１０（ｃ）参照）。これにより、第１リンク２２０は、後端部２２２ｆが下方に下がることができず、リンク用軸部２２１ｃを中心として前部プレート部２２２ａ側が下がる方向に回転した姿勢が維持される。なお、姿勢維持ピン２２７ｂがこのように後方に移動している間、ストッパー用リンク２２７ａは、第２シャフト２２７ｄを中心に下方から後方に向かって回転して、下方向に突出した姿勢となる（図１０（ｂ），（ｃ）、図１２（ｃ），（ｄｄ）参照）。
【００５５】  第１リンク２２０は、リンク用軸部２２１ｃを中心として前部プレート部２２２ａ側が下がる方向に回転した姿勢を維持するため、前部突出片２２２ｄによるスライドロック機構１５のロック解除状態を維持し続け、その一方、メモリ部材２１０は、メモリ用係合部２１２ａがスライドロック用被係合部１１ｅ，１１ｅに係合するため、図１１（ａ），（ｂ）に示したように、メモリ部材２１０を、当該係合位置でロアレール１１側に残したまま、アッパーレール１２はメモリ部材制御機構２２０と共に最前端位置までスライドする。従って、アッパーレールに１２に支持されたシート（シートクッション２Ａ及びシートバック２Ｂ）と、後席との間にウォークイン用の空間ができ、後席への着席、後席からの離席が可能となる。
【００５６】  ウォークインの状態を元に戻す場合には、スライドロック機構１５がロック解除になっている状態のまま、シートを後方に押す。アッパーレール１２と共にメモリ部材制御機構２２０も後方に移動していくが、ストッパー用リンク２２７ａは、上記のように、第２シャフト２２７ｄを中心に垂下した姿勢になっており（図１３（ａ）参照）、そのまま後方に移動していくと、メモリ部材２１０の係合板部２１２の傾斜面２１２ｃを通り越し、そのさらに後方に位置するＬ字形ストッパ２１３の上部２１３ａに当接する（図１３（ｂ）、図１４（ａ）参照）。なお、このとき、後部突出片２２２ｅが、係合板部２１２におけるメモリ側突出片２１２ｄ，２１２ｄの間に対応する位置となるように、該Ｌ字形ストッパ片２１３と後部突出片２２２ｅとの第１リンク２２０における相対位置が設定されている。
【００５７】  ストッパー用リンク２２７ａがＬ字形ストッパ２１３に当接した位置が、ウォークイン動作前におけるアッパーレール１２のスライド調整位置である。Ｌ字形ストッパ２１３に当接すると、図１３（ｃ）及び図１４（ｂ）に示したように、該ストッパー用リンク２２７ａはその下端が前方側に向かうように回転し、それに伴い姿勢維持ピン２２７ｂは、ガイド孔２２１ｂ３，２２１ｂ３内を前方に移動する。それにより、姿勢維持ピン２２７ｂは、第１リンク２２０の後端部２２２ｆの下縁から、その前方の段差部２２２ｇ側に移動する。第１リンク２２０の後端部２２２ｆの下縁から姿勢維持ピン２２７ｂが存在しなくなるため、リンク用スプリング２２６の復元力により、第１リンク２２０の前部プレート部２２２ａ側が上昇方向に回転し、前部突出片２２２ｄによるロック解除操作部材１５５を下方に押圧する力もなくなり、スライドロック機構１５はスライドロックの状態になる。
【００５８】  これにより、ウォークイン動作前におけるアッパーレール１２のスライド調整位置に復帰できる。このとき、第１リンク２２２は、再び、アッパーレール１２の上壁部１２ａに略平行な姿勢となり、後端部２２２ｆが姿勢維持ピン２２７ｂの後方に位置し、段差部２２２ｇにより、該姿勢維持ピン２２７ｂの後方への移動が規制された状態となる。そして、後部突出片２２２ｅは、メモリ側突出片２１２ｄ，２１２ｄの間の傾斜面２１２ｃにおけるロアレール１１の側壁部１１ｆ側の面に当接するように侵入し、該傾斜面２１２ｃをアッパーレール１２の側壁部１２ｂ側に引き起こすように弾性変形させる（図７（ｂ）の状態）。それにより、メモリ用係合部２１２ａがスライドロック用被係合部１１ｅから離間し、ロアレール１１との係合が解除され、後部突出片２２２ｅは、スライド移動時にメモリ側突出片２１２ｄ，２１２ｄに係合可能となり、メモリ部材２１０は、再び、アッパーレール１２に追従して移動可能な状態になる。その後、シートバック２Ｂを後倒させれば、シート（シートクッション２Ａ及びシートバック２Ｂ）は、元の状態に復帰する。シートバック２Ｂが前倒位置から所定角度後方に戻ると、シートバック２Ｂに設けられたブラケット２３６が連結プレート２３５から離間し、該連結プレート２３５はばね部材（図示せず）により原位置に復帰する。
【００５９】  なお、上記した説明では、スライドロック機構１５として、ロアレール１１の両側のスライドロック用被係合部１１ｅに係合してスライドロックする構造を示したが、これに限定されるものではなく、片側のスライドロック用被係合部１１ｅのみに係合するものであってもよいし、ロックプレート１５１が上下に動作するものではなく、ロアレール１１の幅方向に離接してスライドロック用被係合部１１ｅに係合する構成等であってもよい。スライドロック機構１５は、通常のスライド調整位置を設定できる機能を有すればよく、上記したものに全く限定されるものではない。
【符号の説明】
【００６０】  １  シートスライド装置  １０  スライダ  １１  ロアレール  １１ｅ  スライドロック用被係合部  １１ｆ  側壁部  １２  アッパーレール  １２ａ  上壁部  １２ａ１  突出用貫通孔  １２ｂ  側壁部  １２０  アッパーブラケット  １２１  上面部  １２２  側面部  １５  スライドロック機構  １５１  ロックプレート  １５５  ロック解除操作部材  ２０  ウォークイン機構  ２１０  メモリ部材  ２１１  ベース部  ２１２  係合部  ２１２ａ  メモリ用係合部  ２２０  メモリ部材制御機構  ２２１  取り付けブラケット  ２２２  第１リンク  ２２２ｄ  前部突出片  ２２２ｅ  後部突出片  ２２４  第２リンク２２４  ２２６  リンク用スプリング  ２２７  姿勢維持機構  ２３０  ウォークイン操作機構
【図１】
2019112005.tif 000003
【図２】
2019112005.tif 000004
【図３】
2019112005.tif 000005
【図４】
2019112005.tif 000006
【図５】
2019112005.tif 000007
【図６】
2019112005.tif 000008
【図７】
2019112005.tif 000009
【図８】
2019112005.tif 000010
【図９】
2019112005.tif 000011
【図１０】
2019112005.tif 000012
【図１１】
2019112005.tif 000013
【図１２】
2019112005.tif 000014
【図１３】
2019112005.tif 000015
【図１４】
2019112005.tif 000016
【国際調査報告】
2019112005.tif 000017
2019112005.tif 000018